(57)【要約】【課題】配置されているタグに基づいた入力操作を行う。【解決手段】各種情報を格納するＩＣタグと、各種情報を読み取る読取手段を有する指し棒と、映像を投射する投射手段を有する映写制御装置と、を備える指し棒システムであって、指し棒は、読取手段により読み取った際の情報を映写制御装置へ送信する送信手段を有し、映写制御装置は、情報と入力値とを対応付けて格納する対応テーブルと、送信手段により送信された情報に対応する入力値を対応テーブルを参照して検索する検索手段と、検索手段により検索した入力値に基づく処理を行う制御手段と、を有する。【選択図】図１
2010176406.tif 000002
【特許請求の範囲】
【請求項１】
各種情報を格納するＩＣタグと、前記各種情報を読み取る読取手段を有する指し棒と、映像を投射する投射手段を有する映写制御装置と、を備える指し棒システムであって、
前記指し棒は、前記読取手段により読み取った際の情報を前記映写制御装置へ送信する送信手段を有し、
前記映写制御装置は、前記情報と入力値とを対応付けて格納する対応テーブルと、前記送信手段により送信された情報に対応する入力値を前記対応テーブルを参照して検索する検索手段と、前記検索手段により検索した入力値に基づく処理を行う制御手段と、を有することを特徴とする指し棒システム。
【請求項２】
前記指し棒は、前記ＩＣタグを読み取った位置を検知する検知手段を有し、
前記送信手段は、前記検知手段による検知結果を送信することを特徴とする請求項１記載の指し棒システム。
【請求項３】
前記送信手段は、前記ＩＣタグに格納される前記各種情報と、前記検知結果と、を送信することを特徴とする請求項２記載の指し棒システム。
【請求項４】
前記対応テーブルは、前記送信手段により送信された情報に基づいて、前記各種情報と、前記検知結果と、前記入力値と、を対応付けて格納することを特徴とする請求項３記載の指し棒システム。
【請求項５】
ＩＣタグから各種情報を読み取る読取手段と、
前記読取手段により読み取った際の情報を送信する送信手段と、を有することを特徴とする指し棒。
【請求項６】
前記指し棒は、前記ＩＣタグを読み取った位置を検知する検知手段を有し、
前記送信手段は、前記検知手段による検知結果を送信することを特徴とする請求項５記載の指し棒。
【請求項７】
前記送信手段は、前記ＩＣタグに格納される前記各種情報と、前記検知結果と、を送信することを特徴とする請求項６記載の指し棒。
【請求項８】
情報と入力値とを対応付けて格納する対応テーブルと、
送信されてきた情報に対応する入力値を前記対応テーブルを参照して検索する検索手段と、
前記検索手段により検索した入力値に基づく処理を行う制御手段と、を有することを特徴とする映写制御装置。
【請求項９】
前記対応テーブルは、前記送信されてきた情報に基づいて、ＩＣタグに格納される各種情報と、前記ＩＣタグを読み取った位置の検知結果と、前記入力値と、を対応付けて格納することを特徴とする請求項８記載の映写制御装置。
【請求項１０】
指し棒によるＩＣタグの各種情報を読み取る読取ステップと、
前記読取ステップにより読み取った際の情報を映写制御装置へ送信する送信ステップと、
前記映写制御装置による前記送信ステップにより送信された情報に対応する入力値を、前記情報と入力値とを対応付けて格納する対応テーブルを参照して検索する検索ステップと、
前記検索ステップにより検索した入力値に基づく処理を行う制御ステップと、を有することを特徴とする指し棒システムの制御方法。
【請求項１１】
前記指し棒による前記ＩＣタグを読み取った位置を検知する検知ステップを有し、
前記送信ステップは、前記検知ステップによる検知結果を送信することを特徴とする請求項１０記載の指し棒システムの制御方法。
【請求項１２】
ＩＣタグから各種情報を読み取る読取ステップと、
前記読取ステップにより読み取った際の情報を送信する送信ステップと、を有することを特徴とする指し棒の情報送信方法。
【請求項１３】
前記指し棒による前記ＩＣタグを読み取った位置を検知する検知ステップを有し、
前記送信ステップは、前記検知ステップによる検知結果を送信することを特徴とする請求項１２記載の指し棒の情報送信方法。
【請求項１４】
送信されてきた情報に対応する入力値を前記情報と入力値とを対応付けて格納する対応テーブルを参照して検索する検索ステップと、
前記検索ステップにより検索した入力値に基づく処理を行う制御ステップと、を有することを特徴とする映写制御装置の制御方法。
【請求項１５】
指し棒によるＩＣタグの各種情報を読み取る読取処理と、
前記読取処理により読み取った際の情報を映写制御装置へ送信する送信処理と、
前記映写制御装置による前記送信処理により送信された情報に対応する入力値を、前記情報と入力値とを対応付けて格納する対応テーブルを参照して検索する検索処理と、
前記検索処理により検索した入力値に基づく処理を行う制御処理と、を有することをコンピュータに実行させるプログラム。
【請求項１６】
ＩＣタグから各種情報を読み取る読取処理と、
前記読取処理により読み取った際の情報を送信する送信処理と、を有することをコンピュータに実行させるプログラム。
【請求項１７】
送信されてきた情報に対応する入力値を前記情報と入力値とを対応付けて格納する対応テーブルを参照して検索する検索処理と、
前記検索処理により検索した入力値に基づく処理を行う制御処理と、を有することをコンピュータに実行させるプログラム。
【発明の詳細な説明】
【技術分野】
【０００１】
本発明は、プレゼンテーション時などにおける遠隔の入力操作を行う指し棒システム、指し棒、映写制御装置、その方法及びプログラムに関する。
【背景技術】
【０００２】
プロジェクタ等を使ったプレゼンテーションではスライドを進行させるためにキーボードやマウス操作が必要となり、投影対象の近くで直接指し示すことができずに効果的な説明を行うことができなかった。
【０００３】
例えば、無線式のポインティングデバイスなどを用いた場合には、投影対象の近くで説明できるがスライドの送りや戻しなどの少ない操作に限定されていた。
【０００４】
また、タッチパネルなどでは、表示面にタッチセンサを配置すること、それに触れることが必要なため大型化が困難である。
【０００５】
そこで、遠隔の入力操作としては、ＲＦＩＤ（Ｒａｄｉｏ  Ｆｒｅｑｕｅｎｃｙ  Ｉｄｅｎｔｉｆｉｃａｔｉｏｎ）リーダによるＩＣタグの読み取りが考えられる。
【０００６】
例えば特許文献１では、ビデオ映像中の任意の対象物や空間にＣＶタグを取り付けることで、該映像からＣＶタグが示す対象物に関する情報を取り出して管理することができる技術について開示されている。
【先行技術文献】
【特許文献】
【０００７】
【特許文献１】特開２００７−３１６８３９号公報
【発明の概要】
【発明が解決しようとする課題】
【０００８】
しかしながら、従来技術においては、ＩＣタグに予め格納されている情報に従って入力操作がなされるものであり、読み取った座標に従って操作を行うものではなかった。
【０００９】
そこで本発明は、上記問題点に鑑みてなされたもので、配置されているタグに基づいた入力操作を行うことを目的とする。
【課題を解決するための手段】
【００１０】
上記課題を解決するため、本発明における指し棒システムは、各種情報を格納するＩＣタグと、各種情報を読み取る読取手段を有する指し棒と、映像を投射する投射手段を有する映写制御装置と、を備える指し棒システムであって、指し棒は、読取手段により読み取った際の情報を映写制御装置へ送信する送信手段を有し、映写制御装置は、情報と入力値とを対応付けて格納する対応テーブルと、送信手段により送信された情報に対応する入力値を対応テーブルを参照して検索する検索手段と、検索手段により検索した入力値に基づく処理を行う制御手段と、を有することを特徴とする。
【００１１】
また、本発明における指し棒は、ＩＣタグから各種情報を読み取る読取手段と、読取手段により読み取った際の情報を送信する送信手段と、を有することを特徴とする。
【００１２】
また、本発明における映写制御装置は、情報と入力値とを対応付けて格納する対応テーブルと、送信されてきた情報に対応する入力値を対応テーブルを参照して検索する検索手段と、検索手段により検索した入力値に基づく処理を行う制御手段と、を有することを特徴とする。
【００１３】
また、本発明における指し棒システムの制御方法は、指し棒によるＩＣタグの各種情報を読み取る読取ステップと、読取ステップにより読み取った際の情報を映写制御装置へ送信する送信ステップと、映写制御装置による送信ステップにより送信された情報に対応する入力値を、情報と入力値とを対応付けて格納する対応テーブルを参照して検索する検索ステップと、検索ステップにより検索した入力値に基づく処理を行う制御ステップと、を有することを特徴とする。
【００１４】
また、本発明における指し棒の情報送信方法は、ＩＣタグから各種情報を読み取る読取ステップと、読取ステップにより読み取った際の情報を送信する送信ステップと、を有することを特徴とする。
【００１５】
また、本発明における映写制御装置の制御方法は、送信されてきた情報に対応する入力値を情報と入力値とを対応付けて格納する対応テーブルを参照して検索する検索ステップと、検索ステップにより検索した入力値に基づく処理を行う制御ステップと、を有することを特徴とする。
【００１６】
また、本発明におけるプログラムは、指し棒によるＩＣタグの各種情報を読み取る読取処理と、読取処理により読み取った際の情報を映写制御装置へ送信する送信処理と、映写制御装置による送信処理により送信された情報に対応する入力値を、情報と入力値とを対応付けて格納する対応テーブルを参照して検索する検索処理と、検索処理により検索した入力値に基づく処理を行う制御処理と、を有することをコンピュータに実行させることを特徴とする。
【００１７】
また、本発明におけるプログラムは、ＩＣタグから各種情報を読み取る読取処理と、読取処理により読み取った際の情報を送信する送信処理と、を有することをコンピュータに実行させることを特徴とする。
【００１８】
また、本発明におけるプログラムは、送信されてきた情報に対応する入力値を情報と入力値とを対応付けて格納する対応テーブルを参照して検索する検索処理と、検索処理により検索した入力値に基づく処理を行う制御処理と、を有することをコンピュータに実行させることを特徴とする。
【発明の効果】
【００１９】
本発明により、配置されているタグと対応する入力操作が可能となる。
【図面の簡単な説明】
【００２０】
【図１】本発明の実施形態に係る指し棒システムの構成図である。
【図２】本発明の実施形態に係る指し棒システムの動作フローを示す図である。
【図３】本発明の実施形態に係る変換部の動作フローを示す図である。
【図４】本発明の実施形態に係る指し棒の構成図である。
【図５】ＩＣタグの配置例（その１）である。
【図６】ＩＣタグの配置例（その２）である。
【発明を実施するための形態】
【００２１】
次に、発明を実施するための最良の形態について図面を参照して詳細に説明する。
【００２２】
（実施形態１）
図１は、本発明の実施形態における指し棒システムの構成図である。本指し棒システムは、スクリーン１と、ＩＣタグ２と、指し棒３と、映写装置４と、映写制御装置５と、を有して構成される。
【００２３】
スクリーン１は、表示装置である映写装置４から投射される映像を受けて投影する。
【００２４】
ＩＣタグ２は、ＩＣチップと無線アンテナとを搭載しており、該ＩＣチップには、自身のＩＤ情報など様々な情報が格納され、ＲＦＩＤリーダなどによって読み取りが行われる。
【００２５】
指し棒３は、スクリーン１に投影された映像を指し示すために用いられる。また、先端にＲＦＩＤリーダ３１を有し、スクリーン１に備えられたＩＣタグ２の情報を読み取ることが可能である。また、指し棒３は、映写制御装置５と無線３２で接続されており、ＲＦＩＤリーダ３１で読み取った情報を映写制御装置５へと送信する。
【００２６】
映写制御装置５は、プログラム制御により動作する変換部５１と、タグＩＤと各種動作あるいは入力値とを関連付けて記憶する対応テーブル５２と、映写装置４へ画像データを送出したり、全体の制御を行う制御部５３と、を有する。
【００２７】
次に、図１及び図２を参照して本発明の第１の実施形態における動作について詳細に説明する。
【００２８】
指し棒３のＲＦＩＤリーダ３１にてスクリーン１上に配置したＩＣタグ２からタグＩＤを読み取る（ステップＡ１）。
【００２９】
指し棒３は、読み取ったタグＩＤを無線を介して映写制御装置５へと送信する（ステップＡ２）。
【００３０】
変換部５１の処理で対応テーブル５２を参照して受け取ったタグＩＤと関連付けられた処理を検索し（ステップＡ３）、対応する処理を読み出す（ステップＡ４）。
【００３１】
読み出した処理を制御部５３に入力し、各種制御を行う（ステップＡ５）。
【００３２】
制御後の表示が映写装置４を介してスクリーン１上に表示される（ステップＡ６）。
【００３３】
図３は、本発明の実施形態における変換部の処理の説明図である。変換部５１０は、登録・削除処理部５１１と、引き当て処理部５１２と、対応テーブル５２０と、を有して構成される。
【００３４】
予めタグＩＤと入力値との組み合わせが登録・削除処理部５１１へ入力される（ステップＢ１）。登録・削除処理部５１１は、対応テーブルにタグＩＤをインデックスとして入力値を書き込む（ステップＢ２）。これら登録処理を、登録したいタグに対して繰り返す。
【００３５】
指し棒３からタグＩＤが引き当て処理部５１２に入力されると（ステップＢ３）、引き当て処理部５１２は、対応テーブル５２０からタグＩＤをインデックスとして入力値を検索する（ステップＢ４）。
【００３６】
検索結果として合致するものがあれば、タグＩＤに係わる入力値を読み取り（ステップＢ５）、制御部に入力する（ステップＢ６）。
【００３７】
また、タグＩＤに対応して空の変換値を登録・削除処理部５１１に入力した場合は、対応テーブル５２０から該タグＩＤを削除する。さらに引き当て処理部５１２は、対応テーブル５２０から検索した結果、合致するものがなければそこで処理を終了する。
【００３８】
次に、本発明の第１の実施形態における効果について説明する。
【００３９】
本発明の第１の実施形態では、ＩＣタグを物の特定に使用するのではなく、タグＩＤにより指し示したことを認識した上で、変換テーブルにより処理（動作や入力値）に変換しソフトウェアに入力するというように構成されているため、スクリーン上でパソコン上のソフトウェアの操作が可能である。
【００４０】
（実施形態２）
次に、本発明の第２の実施形態について図面を参照して詳細に説明する。
【００４１】
図４は、本発明の第２の実施形態における指し棒６の構成図である。指し棒６は、ＲＦＩＤリーダ６１と、加速度センサ６２と、無線部６３と、を有して構成される。
【００４２】
ＲＦＩＤリーダ６１は、スクリーン上などに備えられるＩＣタグからＩＣタグに備えられる各種情報を読み取る。
【００４３】
加速度センサ６２は、検知される加速度からユーザが指し示した方向及び距離の算出を行う。
【００４４】
無線部６３は、指し示した基準位置から読み取ったＩＣタグまでの方向及び距離を映写制御装置へと無線を介して送信を行う。ここで、基準位置とは、ＩＣタグを読み取った位置としても良いし、電源投入時に指し示していた位置としても良い。
【００４５】
なお、上記構成に限定されることなく、例えば加速度センサ６２などにおける検知結果から座標を特定し、無線部６３から座標を送信するよう構成しても良い。
【００４６】
このとき対応テーブルには、座標位置と入力値とが対応付けて格納されている。これにより、特定のＩＣタグにとらわれることなく、ＩＣタグを配置する位置によって入力を行うことが可能となる。
【００４７】
また、座標と共に各ＩＣタグにおけるタグＩＤなどを送信するよう構成し、対応テーブルに、配置されたＩＣタグのタグＩＤと座標とを関連付けて記憶するよう構成しても良い。このように構成することで、例えばＩＣタグの位置がずれてしまっても、タグＩＤと入力値とが関連付けられているため、該ＩＣタグを読み取ることで同様の処理を行うことが可能となる。
【実施例１】
【００４８】
次に、本発明の第１の実施例における構成について図面を参照して詳細に説明する。
【００４９】
図５は、本発明の第１の実施例におけるＩＣタグの配置例を示す。本実施例においては、座標に対応させたＩＣタグ群２６と、ＩＣタグ群２６を一定間隔に貼り付けたホワイトボード１１と、を有して構成され、ＩＣタグ群２６上に映写装置から出力された画面４１が投影される。
【００５０】
次に、本発明の第１の実施例の動作について説明する。
【００５１】
ＩＣタグ群２６に含まれる個々のＩＣタグにおけるタグＩＤと座標情報とが、対応テーブルに対応付けて格納されている。ＩＣタグのタグＩＤが指し棒に設けられたＲＦＩＤリーダより読み取られると、映写制御装置内の変換部に入力され、タグＩＤに基づいて座標情報が変換され値を制御部に入力する。
【００５２】
次に、本発明の１の実施例における効果について説明する。
【００５３】
本発明の第１の実施例では、ＩＣタグ群と変換テーブルが座標に変換し、制御部に入力するというように構成されているため、タッチパネルとして動作することができる。
【実施例２】
【００５４】
次に、本発明の第２の実施例における構成について図面を参照して詳細に説明する。
【００５５】
図６は、本発明の第２の実施例におけるＩＣタグの配置例を示す。本実施例においては、キーボードのキーに対応させたＩＣタグ群２７とそれを貼り付けたホワイトボード１２と、を有して構成される。
【００５６】
次に、本発明の第２の実施例の動作について説明する。
【００５７】
ＲＦＩＤタグ群２７に含まれる個々のＩＣタグにおけるタグＩＤとキー情報とが、対応テーブルに対応付けて格納されている。ＩＣタグのタグＩＤが指し棒に設けられたＲＦＩＤリーダより読み取られると、映写制御装置内の変換部にてキー情報に変換されて入力され、キー情報に変換した値を制御部に入力する。
【００５８】
次に、本発明の第２の実施例の効果について説明する。
【００５９】
本発明の第２の実施例では、ＩＣタグ群のタグＩＤに基づいて対応テーブルがキー情報に変換し、制御部に入力するというように構成されているため、簡易キーボードとして動作することができる。
【００６０】
本発明の実施形態によれば、ＲＦＩＤリーダを内蔵した指し棒（以下ＲＦＩＤ指し棒）を使い、対象物に配置したＲＦＩＤタグやＩＣタグ（以下、まとめてタグ）を、ＲＦＩＤ指し棒で読み取ることで指し示した座標の認識やボタンの押下などを入力することを可能とする。
【００６１】
たとえば、タグをプレゼンテーション画面を投影したスクリーンに貼り付ける。表示スクリーン上を指し示しながらＲＦＩＤ指し棒によりタグを読み取れば、表示スクリーンを指し示しながら且つ、読み取ったタグの内容に応じたプレゼンテーション進行操作などを行うことができる。
【００６２】
本発明の実施形態における特徴は、タグとリーダを従来とは違う使用形態をとり、通常は、個々に識別したい物品へＲＦＩＤタグを張り、それをＲＦＩＤリーダへかざすことで物の識別やトレースなどに使用する。
【００６３】
一方、本発明の実施形態においては、タグとリーダの使用形態を逆にし、固定位置にタグを配置しそれに対して、移動可能なＲＦＩＤ指し棒でタグを読み取る。
【００６４】
本発明の実施形態によれば、第１にホワイトボードの前で、指し棒を使って説明しながら様々な操作ができる。
【００６５】
その理由は、ポインティングデバイスでは、操作は限定されているが、本実施形態では、貼り付けるＩＣタグを増し、それに動作を関連付けておくことで操作が限定されることが無くなるためである。
【００６６】
第２の効果は、大型のタッチパネルのような入力ができることにある。
【００６７】
その理由は、スクリーンに一定間隔に配置したＩＣタグを座標に見立てることで可能となるためである。
【００６８】
第３の効果は、仮想なキーボード入力ができることにある。
【００６９】
その理由は、キーボードのキーすべてに対応させたタグを対象物に配置しておけば可能となるためである。
【産業上の利用可能性】
【００７０】
本発明によれば、教育機関での授業において黒板とパソコン上のソフトウェアとの連携といった用途にも適用可能である。
【００７１】
以上、実施の形態を説明したが、特許請求の範囲に定義された本発明の広範囲な趣旨および範囲から逸脱することなく、これら実施の形態や具体例に様々な修正および変更が可能である。
【符号の説明】
【００７２】
１    スクリーン
２    ＩＣタグ
３    指し棒
４    映写装置
５    映写制御装置
３１    ＲＦＩＤリーダ
５１    変換部
５２    対応テーブル
【図１】
2010176406.tif 000003
【図２】
2010176406.tif 000004
【図３】
2010176406.tif 000005
【図４】
2010176406.tif 000006
【図５】
2010176406.tif 000007
【図６】
2010176406.tif 000008